(57)【要約】【課題】WXC装置で構成するトランスポンダのパス経路をオペレータが視覚的に把握して決定することが可能なパス経路決定装置を提供する。【解決手段】  パス経路決定装置（100）は、両端点のトランスポンダ（WXC装置1,WXC装置4）が入力された場合に、該入力された両端点のトランスポンダ（WXC装置1,WXC装置4）の経路に、複数の分岐経路を有する分岐WXC装置（WXC装置2-1やWXC装置6-1に相当）が存在するか否かを判定し、分岐WXC装置（WXC装置2-1やWXC装置6-1）が存在する場合は、両端点のトランスポンダ（WXC装置1,WXC装置4）のパス経路を分岐WXC装置（WXC装置2-1やWXC装置6-1）間毎にGUI（Graphical User Interface）上に可視化して表示し、両端点のトランスポンダ（WXC装置1,WXC装置4）のパス経路を分岐WXC装置（WXC装置2-1やWXC装置6-1）毎に順次決定する。【選択図】図１
2012156770.tif 000002
【特許請求の範囲】
【請求項１】
ＷＸＣ（Wavelength Cross Connect）装置で構成するトランスポンダのパス経路を決定するパス経路決定装置であって、
両端点のトランスポンダが入力された場合に、該入力された両端点のトランスポンダの経路に、複数の分岐経路を有する分岐ＷＸＣ装置が存在するか否かを判定し、前記分岐ＷＸＣ装置が存在する場合は、前記両端点のトランスポンダのパス経路を前記分岐ＷＸＣ装置間毎にＧＵＩ（Graphical User Interface）上に可視化して表示し、前記両端点のトランスポンダのパス経路を前記分岐ＷＸＣ装置毎に順次決定する決定手段を有することを特徴とするパス経路決定装置。
【請求項２】
前記決定手段は、
前記入力された両端点のトランスポンダが冗長トランスポンダの場合は、前記両端点のトランスポンダのパス経路を、ＷＥＳＴ周り及びＥＡＳＴ周りの各々で決定し、
前記入力された両端点のトランスポンダが冗長トランスポンダでない場合は、前記両端点のトランスポンダのパス経路を、ＷＥＳＴ周りまたはＥＡＳＴ周りの何れかで決定することを特徴とする請求項１記載のパス経路決定装置。
【請求項３】
前記決定手段は、
前記分岐ＷＸＣ装置が存在する場合は、一方の端点から前記分岐ＷＸＣ装置までの経路を確定経路として前記ＧＵＩ上に表示し、前記分岐ＷＸＣ装置以降の経路を候補経路として前記ＧＵＩ上に表示することを特徴とする請求項１または２記載のパス経路決定装置。
【請求項４】
前記決定手段は、
前記ＧＵＩ上に候補経路として表示した前記分岐ＷＸＣ装置以降の経路の選択操作が前記ＧＵＩ上から行われた場合に、前記分岐ＷＸＣ装置以降の経路に、他の前記分岐ＷＸＣ装置が存在するか否かを判定し、他の前記分岐ＷＸＣ装置が存在する場合は、前記分岐ＷＸＣ装置から他の前記分岐ＷＸＣ装置までの経路を確定経路として前記ＧＵＩ上に表示し、他の前記分岐ＷＸＣ装置以降の経路を候補経路として前記ＧＵＩ上に表示することを特徴とする請求項３記載のパス経路決定装置。
【請求項５】
前記決定手段は、
前記入力された両端点のトランスポンダの経路に、単一の経路を有するＷＸＣ装置が存在する場合は、前記分岐ＷＸＣ装置として認識せず、スルー装置として認識し、
前記両端点のトランスポンダのパス経路を前記分岐ＷＸＣ装置間毎に前記ＧＵＩ上に可視化して表示し、前記両端点のトランスポンダのパス経路を前記分岐ＷＸＣ装置毎に順次決定することを特徴とする請求項１から４の何れか１項に記載のパス経路決定装置。
【請求項６】
複数のＷＸＣ（Wavelength Cross Connect）装置と、前記ＷＸＣ装置で構成するトランスポンダのパス経路を決定するパス経路決定装置と、を有して構成する通信システムであって、
前記パス経路決定装置は、
両端点のトランスポンダが入力された場合に、該入力された両端点のトランスポンダの経路に、複数の分岐経路を有する分岐ＷＸＣ装置が存在するか否かを判定し、前記分岐ＷＸＣ装置が存在する場合は、前記両端点のトランスポンダのパス経路を前記分岐ＷＸＣ装置間毎にＧＵＩ（Graphical User Interface）上に可視化して表示し、前記両端点のトランスポンダのパス経路を前記分岐ＷＸＣ装置毎に順次決定する決定手段を有することを特徴とする通信システム。
【請求項７】
ＷＸＣ（Wavelength Cross Connect）装置で構成するトランスポンダのパス経路を決定するパス経路決定装置で行う制御方法であって、
両端点のトランスポンダが入力された場合に、該入力された両端点のトランスポンダの経路に、複数の分岐経路を有する分岐ＷＸＣ装置が存在するか否かを判定し、前記分岐ＷＸＣ装置が存在する場合は、前記両端点のトランスポンダのパス経路を前記分岐ＷＸＣ装置間毎にＧＵＩ（Graphical User Interface）上に可視化して表示し、前記両端点のトランスポンダのパス経路を前記分岐ＷＸＣ装置毎に順次決定する決定工程を有することを特徴とする制御方法。
【請求項８】
ＷＸＣ（Wavelength Cross Connect）装置で構成するトランスポンダのパス経路を決定するパス経路決定装置のコンピュータに実行させるプログラムであって、
両端点のトランスポンダが入力された場合に、該入力された両端点のトランスポンダの経路に、複数の分岐経路を有する分岐ＷＸＣ装置が存在するか否かを判定し、前記分岐ＷＸＣ装置が存在する場合は、前記両端点のトランスポンダのパス経路を前記分岐ＷＸＣ装置間毎にＧＵＩ（Graphical User Interface）上に可視化して表示し、前記両端点のトランスポンダのパス経路を前記分岐ＷＸＣ装置毎に順次決定する決定処理を、前記コンピュータに実行させることを特徴とするプログラム。
【発明の詳細な説明】
【技術分野】
【０００１】
本発明は、WXC（Wavelength Cross Connect）装置で構成するトランスポンダのパス経路を決定する技術に関する。
【背景技術】
【０００２】
本発明と関連するNMS（Network Management System）では、文字情報で表現された経路情報を基に、WXC装置で構成するトランスポンダのパス経路をオペレータが決定している。
【０００３】
しかし、上述したパス経路の決定方法では、オペレータが視覚的にパス経路を把握できないため、オペレータがパス経路を決定し難いという状況が発生している。
【０００４】
また、パス経路を決定する際は、オペレータが経路情報を毎回確認する必要があるため、パス経路の決定に時間がかかるという状況が発生している。
【０００５】
このようなことから、トランスポンダのパス経路をオペレータが視覚的に把握して決定することが可能な仕組みの開発が必要視されることになる。
【０００６】
なお、本発明より先に出願された技術文献として、特許文献１（特開2004-40374号公報）には、GUI（Graphical User Interface）を介してユーザが指定したノードを画面上にマッピングし、また、ユーザの指定に従い、ノード間に回線を設定して物理ネットワークを設計し、その設計した物理ネットワークのトポロジーを画面上に表示する技術について開示されている。
【０００７】
また、特許文献２（特開平11-41349号公報）には、NMSにおいてGUI形式で処理メニューをディスプレイに表示し、処理メニューの画面選択により指示データを入力操作できる技術について開示されている。
【０００８】
また、特許文献３（特開2000-148628号公報）には、三次元表示技術をNMSのGUIに適用し、オペレータにネットワーク構成を直感的に理解させる技術について開示されている。
【先行技術文献】
【特許文献】
【０００９】
【特許文献１】特開２００４−４０３７４号公報
【特許文献２】特開平１１−４１３４９号公報
【特許文献３】特開２０００−１４８６２８号公報
【発明の概要】
【発明が解決しようとする課題】
【００１０】
上記特許文献１〜３には、GUI上で各種操作を視覚的に行うための技術について開示されている。
【００１１】
しかし、上記特許文献１〜３には、WXC装置で構成するトランスポンダのパス経路をオペレータが視覚的に把握して決定するための技術については何ら記載も示唆もされていない。
【００１２】
本発明は、上記事情に鑑みてなされたものであり、WXC装置で構成するトランスポンダのパス経路をオペレータが視覚的に把握して決定することが可能なパス経路決定装置、通信システム、制御方法及びプログラムを提供することを目的とする。
【課題を解決するための手段】
【００１３】
かかる目的を達成するために、本発明は、以下の特徴を有することとする。
【００１４】
本発明にかかるパス経路決定装置は、
WXC（Wavelength Cross Connect）装置で構成するトランスポンダのパス経路を決定するパス経路決定装置であって、
両端点のトランスポンダが入力された場合に、該入力された両端点のトランスポンダの経路に、複数の分岐経路を有する分岐ＷＸＣ装置が存在するか否かを判定し、前記分岐WXC装置が存在する場合は、前記両端点のトランスポンダのパス経路を前記分岐WXC装置間毎にGUI（Graphical User Interface）上に可視化して表示し、前記両端点のトランスポンダのパス経路を前記分岐WXC装置毎に順次決定する決定手段を有することを特徴とする。
【００１５】
本発明にかかる通信システムは、
複数のWXC（Wavelength Cross Connect）装置と、前記WXC装置で構成するトランスポンダのパス経路を決定するパス経路決定装置と、を有して構成する通信システムであって、
前記パス経路決定装置は、
両端点のトランスポンダが入力された場合に、該入力された両端点のトランスポンダの経路に、複数の分岐経路を有する分岐WXC装置が存在するか否かを判定し、前記分岐WXC装置が存在する場合は、前記両端点のトランスポンダのパス経路を前記分岐WXC装置間毎にGUI（Graphical User Interface）上に可視化して表示し、前記両端点のトランスポンダのパス経路を前記分岐WXC装置毎に順次決定する決定手段を有することを特徴とする。
【００１６】
本発明にかかる制御方法は、
WXC（Wavelength Cross Connect）装置で構成するトランスポンダのパス経路を決定するパス経路決定装置で行う制御方法であって、
両端点のトランスポンダが入力された場合に、該入力された両端点のトランスポンダの経路に、複数の分岐経路を有する分岐WXC装置が存在するか否かを判定し、前記分岐WXC装置が存在する場合は、前記両端点のトランスポンダのパス経路を前記分岐WXC装置間毎にGUI（Graphical User Interface）上に可視化して表示し、前記両端点のトランスポンダのパス経路を前記分岐WXC装置毎に順次決定する決定工程を有することを特徴とする。
【００１７】
本発明にかかるプログラムは、
WXC（Wavelength Cross Connect）装置で構成するトランスポンダのパス経路を決定するパス経路決定装置のコンピュータに実行させるプログラムであって、
両端点のトランスポンダが入力された場合に、該入力された両端点のトランスポンダの経路に、複数の分岐経路を有する分岐WXC装置が存在するか否かを判定し、前記分岐WXC装置が存在する場合は、前記両端点のトランスポンダのパス経路を前記分岐WXC装置間毎にGUI（Graphical User Interface）上に可視化して表示し、前記両端点のトランスポンダのパス経路を前記分岐WXC装置毎に順次決定する決定処理を、前記コンピュータに実行させることを特徴とする。
【発明の効果】
【００１８】
本発明によれば、WXC装置で構成するトランスポンダのパス経路をオペレータが視覚的に把握して決定することができる。
【図面の簡単な説明】
【００１９】
【図１】本実施形態の通信システムのシステム構成例を示す図である。
【図２】通信システムを構成するNMS100の処理動作例を示す図であり、パス経路の両端点のトランスポンダが冗長トランスポンダである場合の第１の処理動作例を示す図である。
【図３】通信システムを構成するNMS100の処理動作例を示す図であり、パス経路の両端点のトランスポンダが冗長トランスポンダである場合の第２の処理動作例を示す図である。
【図４】通信システムを構成するNMS100の処理動作例を示す図であり、パス経路の両端点のトランスポンダが冗長トランスポンダでない場合の処理動作例を示す図である。
【図５】NMS100のDB101で管理する情報を示す図である。
【図６】WXC装置1〜6で構成するトランスポンダのパス経路を決定する際の処理動作例を示す第１の図である。
【図７】WXC装置1〜6で構成するトランスポンダのパス経路を決定する際の処理動作例を示す第２の図である。
【図８】WXC装置1〜6で構成するトランスポンダのパス経路を決定する際の処理動作例を示す第３の図である。
【図９】WXC装置1〜6で構成するトランスポンダのパス経路を決定する際の処理動作例を示す第４の図である。
【発明を実施するための形態】
【００２０】
＜本実施形態の通信システムの概要＞
まず、図１、図６〜図９を参照しながら、本実施形態の通信システムの概要について説明する。図１は、本実施形態の通信システムのシステム構成例を示し、図６〜図９は、WXC装置1〜6で構成するトランスポンダのパス経路を決定する際の処理動作例を示す図である。
【００２１】
本実施形態の通信システムは、図１に示すように、複数のWXC（Wavelength Cross Connect）装置1〜6と、WXC装置1〜6で構成するトランスポンダのパス経路を決定するパス経路決定装置（NMS:Network Management System100に相当）と、を有して構成する通信システムである。
【００２２】
本実施形態のパス経路決定装置100は、両端点のトランスポンダ（例えば、WXC装置1,WXC装置4）が入力された場合に、該入力された両端点のトランスポンダ（WXC装置1,WXC装置4）の経路に、複数の分岐経路を有する分岐WXC装置（WXC装置2-1やWXC装置6-1に相当）が存在するか否かを判定し、分岐WXC装置（WXC装置2-1やWXC装置6-1）が存在する場合は、図６〜図９に示すように、両端点のトランスポンダ（WXC装置1,WXC装置4）のパス経路を分岐WXC装置（WXC装置2-1やWXC装置6-1）間毎にGUI（Graphical User Interface）上に可視化して表示し、両端点のトランスポンダ（WXC装置1,WXC装置4）のパス経路を分岐WXC装置（WXC装置2-1やWXC装置6-1）毎に順次決定する決定部102を有して構成する。
【００２３】
これにより、本実施形態の通信システムは、WXC装置1〜6で構成するトランスポンダのパス経路をオペレータが視覚的に把握して決定することができる。以下、添付図面を参照しながら、本実施形態の通信システムについて詳細に説明する。
【００２４】
＜通信システムのシステム構成例＞
まず、図１を参照しながら、本実施形態の通信システムのシステム構成例について説明する。
【００２５】
本実施形態の通信システムは、NMS（Network Management System）100と、複数のWXC装置（Wavelength Cross Connect装置）1〜6と、を有して構成する。
【００２６】
NMS100は、WXC装置1〜6を管理する装置であり、少なくとも１つのWXC装置1〜6と接続し、その接続したWXC装置1〜6を介して、各WXC装置1〜6の情報を取得し、その取得した情報をDB101でWXC装置毎に管理し、各WXC装置1〜6の状態をDE101で管理する。NMS100が各WXC装置1〜6から取得する情報としては、WXC装置1〜6に設定可能なトランスポンダの種別、そのトランスポンダの種別に応じて設定されたトランスポンダの方向（WEST周り、EAST周りの少なくとも１つ）などの情報が挙げられる。なお、トランスポンダの種別が冗長トランスポンダに該当する場合は、WEST周り、EAST周りの両方が設定されており、トランスポンダの種別が冗長トランスポンダに該当しない場合は、WEST周り、または、EAST周りの何れかが設定されている。NMS100は、DB101で管理している各WXC装置1〜6の情報を基に、WXC装置1〜6のパス経路を決定する決定部102を有し、WXC装置1〜6で構成するトランスポンダのパス経路をオペレータが視覚的に把握して決定することを可能にしている。
【００２７】
WXC装置1〜6は、波長を任意にバンドルしてルーティングする装置である。WXC装置1〜6は、WSS（Wavelength Selective Switch）で構成されたWXC装置を含むことで、波長分割多重光信号をそのまま任意のポートに出力することができる。なお、図１のシステム構成例の場合は、WXC装置2-1,2-2が同一のWXCグループ（WXCノード1）を構築している。また、WXC装置6-1,6-2が同一のWXCグループ（WXCノード2）を構築している。また、図１において、経路2〜経路7は、WXC装置間を接続する装置間セクションであり、経路1,経路8は、トランスポンダ間を接続するトランスポンダセクションである。また、経路1の端点と、経路8の端点と、はトランスポンダ端点であり、本実施形態では、冗長トランスポンダ端点としている。
【００２８】
＜NMS100の処理動作例＞
次に、図２〜図４を参照しながら、NMS100で行う処理動作例について説明する。図２、図３は、パス経路の両端点のトランスポンダが冗長トランスポンダである場合の処理動作例を示し、図４は、パス経路の両端点のトランスポンダが冗長トランスポンダでない場合の処理動作例を示す。
【００２９】
まず、オペレータがトランスポンダのパス経路の両端点（開始端点、終了端点）の情報を入力する（ステップA0）。具体的には、開始端点の情報として、WXC装置の情報と、そのWXC装置に設定するトランスポンダの種別と、を入力し、終了端点の情報として、WXC装置の情報と、そのWXC装置に設定するトランスポンダの種別と、を入力する。
【００３０】
NMS100は、パス経路の両端点（開始端点、終了端点）の情報が入力された場合は（ステップA0/Yes）、その入力されたパスの両端点の情報（トランスポンダの種別）を基に、DB101を参照し、パス経路の両端点のトランスポンダが冗長トランスポンダであるか否かを判別する（ステップA1）。DB101には、図５に示すように、トランスポンダの種別と、冗長トランスポンダか否かを特定するための情報と、が対応付けられており、NMS100は、入力されたパス経路の両端点のトランスポンダの種別を基に、DB101を参照することで、入力されたパス経路の両端点のトランスポンダが冗長トランスポンダであるか否かを判別することができる。
【００３１】
NMS100は、入力されたパス経路の両端点のトランスポンダの種別が冗長トランスポンダである場合は（ステップA1/冗長トランスポンダ）、NMS100は、WEST周りのパス経路の設定処理を開始する（ステップA2）。
【００３２】
まず、NMS100は、WEST周りの中継装置にWXC装置が存在するか確認する（ステップA3）。WEST周りの中継装置にWXC装置が存在しない場合は（ステップA3/存在しない）、終了端点までの経路をGUI上に表示する（ステップA4）。これにより、NMS100は、WEST周りのパス経路の設定処理を終了し（ステップA9）、図３に示すEAST周りのパス経路の設定処理を開始する（ステップB0）。
【００３３】
また、ステップA3においてWEST周りの中継装置にWXC装置が存在する場合は（ステップA3/存在する）、そのWXC装置のWXCグループに他のエレメント装置である第２のWXC装置が存在するか確認する（ステップA5）。他のエレメント装置である第２のWXC装置が存在しない場合は（ステップA5/存在しない）、WXC装置をスルー装置として認識し、終了端点までの経路をGUI上に表示する（ステップA4）。これにより、NMS100は、WEST周りのパス経路の設定処理を終了し（ステップA9）、図３に示すEAST周りのパス経路の設定処理を開始する（ステップB0）。
【００３４】
また、ステップA5において他のエレメント装置である第２のWXC装置が存在する場合は（ステップA5/存在する）、他のエレメント装置である第２のWXC装置が存在するWXC装置までの経路を確定経路としてGUI上に表示し、WXC装置以降の経路を候補経路としてGUI上に表示し、候補経路をオペレータに選択させるようにする（ステップA6）。
【００３５】
候補経路をGUI上に表示した後に、オペレータが経路を選択すると（ステップA7/Yes）、NMS100は、その選択した経路から終了端点までの経路においてWXC装置が存在するか確認する（ステップA8）。NMS100は、終了端点までの経路においてWXC装置が存在する場合は（ステップA8/存在する）、そのWXC装置のWXCグループに他のエレメント装置である第２のWXC装置が存在するか確認し（ステップA5）、他のエレメント装置である第２のWXC装置が存在する場合は（ステップA5/存在する）、ステップA6の処理を行う。
【００３６】
また、ステップA8において、NMS100は、終了端点までの経路においてWXC装置が存在しない場合は（ステップA8/存在しない）、終了端点までの経路をGUI上に表示する（ステップA4）。これにより、NMS100は、WEST周りのパス経路の設定処理を終了し（ステップA9）、図３に示すEAST周りのパス経路の設定処理を開始する（ステップB0）。
【００３７】
図３に示すEAST周りのパス経路の設定処理を開始する場合は（ステップB0）、まず、NMS100は、EAST周りの中継装置にWXC装置が存在するか確認する（ステップB1）。EAST周りの中継装置にWXC装置が存在しない場合は（ステップB1/存在しない）、終了端点までの経路をGUI上に表示する（ステップB2）。これにより、NMS100は、EAST周りのパス経路の設定処理を終了し（ステップB7）、パス経路の設定処理を終了する（ステップB8）。
【００３８】
また、ステップB1においてEAST周りの中継装置にWXC装置が存在する場合は（ステップB1/存在する）、そのWXC装置のWXCグループに他のエレメント装置である第２のWXC装置が存在するか確認する（ステップB3）。他のエレメント装置である第２のWXC装置が存在しない場合は（ステップB3/存在しない）、WXC装置をスルー装置として認識し、終了端点までの経路をGUI上に表示する（ステップB2）。これにより、NMS100は、EAST周りのパス経路の設定処理を終了し（ステップB7）、パス経路の設定処理を終了する（ステップB8）。
【００３９】
また、ステップB3において他のエレメント装置である第２のWXC装置が存在する場合は（ステップB3/存在する）、他のエレメント装置である第２のWXC装置が存在するWXC装置までの経路を確定経路としてGUI上に表示し、WXC装置以降の経路を候補経路としてGUI上に表示し、候補経路をオペレータに選択させるようにする（ステップB4）。
【００４０】
候補経路をGUI上に表示した後に、オペレータが経路を選択すると（ステップB5/Yes）、NMS100は、その選択した経路から終了端点までの経路においてWXC装置が存在するか確認する（ステップB6）。NMS100は、終了端点までの経路においてWXC装置が存在する場合は（ステップB6/存在する）、そのWXC装置のWXCグループに他のエレメント装置である第２のWXC装置が存在するか確認し（ステップB3）、他のエレメント装置である第２のWXC装置が存在する場合は（ステップB3/存在する）、ステップB4の処理を行う。
【００４１】
また、ステップB6において、NMS100は、終了端点までの経路においてWXC装置が存在しない場合は（ステップB6/存在しない）、終了端点までの経路をGUI上に表示する（ステップB2）。これにより、NMS100は、EAST周りのパス経路の設定処理を終了し（ステップB7）、パス経路の設定処理を終了する（ステップB8）。
【００４２】
また、図２に示すステップA2において、両端点のトランスポンダが冗長トランスポンダでない場合は（ステップA2/冗長トランスポンダでない）、NMS100は、図４に示す冗長トランスポンダでない場合のパス経路の設定処理を開始する（ステップC0）。
【００４３】
まず、NMS100は、入力されたパス経路の開始端点のトランスポンダの方向がWESTかEASTかを確認する（ステップC1）。DB101には、トランスポンダの種別に応じて設定されたトランスポンダの方向（WEST周り、EAST周りの少なくとも１つ）の情報が管理されているため、NMS100は、DB101を参照し、入力されたパス経路の開始端点のトランスポンダの種別に応じて設定されたトランスポンダの方向がWEST周りかEAST周かを確認する。NMSは、パス経路の開始端点のトランスポンダの方向がWESTの場合は（ステップC1/WEST）、図２に示すステップA2〜ステップA9と同様な処理を行い、WEST周りのパス経路の設定処理を終了し（ステップC2）、パス経路の設定処理を終了する（ステップC4）。
【００４４】
また、パス経路の開始端点のトランスポンダの方向がEASTの場合は（ステップC1/EAST）、図３に示すステップB0〜ステップB7と同様な処理を行い、EAST周りのパス経路の設定処理を終了し（ステップC3）、パス経路の設定処理を終了する（ステップC4）。
【００４５】
＜NMS100での具体的な処理動作例＞
次に、図１、図６〜図９を参照しながら、本実施形態のNMS100での具体的な処理動作例について説明する。
【００４６】
まず、オペレータが、トランスポンダのパス経路の両端点（開始端点、終了端点）の情報をNMS100に入力する（ステップS1）。本実施形態では、開始端点の情報としてWXC装置1の情報と、WXC装置1に設定するトランスポンダの種別（冗長トランスポンダに該当する種別）と、を入力し、終了端点の情報としてWXC装置4の情報と、WXC装置4に設定するトランスポンダの種別（冗長トランスポンダに該当する種別）と、を入力する。
【００４７】
NMS100は、ステップS1で入力されたパス経路の両端点の情報（トランスポンダの種別）を基に、パス経路の両端点（開始端点、終了端点）のトランスポンダが冗長トランスポンダであるか否かを判別する（ステップS2）。
【００４８】
パス経路の両端点のトランスポンダが冗長トランスポンダである場合は、WEST回りでパス経路の検索を行う（ステップS3）。
【００４９】
図１のシステム構成例においてWEST回りでパス経路の検索を行うと、NMS100は、WXC装置2-1がWXC装置であり、同一WXCグループに他のエレメント装置であるWXC装置2-2が存在することを把握できる。また、WXC装置3がWXC装置であり、同一WXCグループに他のエレメント装置であるWXC装置が存在しないことを把握できる。また、WXC装置4が終了端点であることを把握できる。
【００５０】
次に、NMS100は、GUI上に、図６に示すように、開始端点としてWXC装置1を表示し、終了端点としてWXC装置4を表示する。また、第１経路として経路2を表示し、第２候補経路として経路3を表示する（ステップS4）。なお、確定した経路（経路2）と、次の候補経路（経路3）と、は色分けし、オペレータが視覚的にGUI上で判別できるようにする。
【００５１】
なお、第１経路の経路2については、開始端点のWXC装置1に設定されているトランスポンダの種別が冗長トランスポンダであり、そのトランスポンダがWESTに登録されているため、自動的に決定することができる。
【００５２】
但し、第２候補経路の経路3については、WXC装置2-1と同一WXCグループに他のエレメント装置であるWXC装置2-2が存在するため、オペレータが次の候補経路をGUI上で選択する必要がある。
【００５３】
この場合、ステップS4においてGUI上に第２候補経路として表示した図６に示すシンボル経路3をGUI上でオペレータがクリックすることで、NMS100が図７に示すように経路3,4を第２経路として決定する（ステップS5）。
【００５４】
図１のシステム構成例の場合は、WXC装置3がWXC装置であり、同一WXCグループに他のエレメント装置であるWXC装置が存在しないため、NMS100は、WXC装置3を第３候補経路として認識せず、スルー装置として認識する。これにより、NMS100は、図７に示すように、経路3,4を第２経路として決定し、終了端点まで経路が辿れることになるため、NMS100は、WEST回りのパス経路の設定を終了する。
【００５５】
次に、NMS100は、EAST回りでパス経路の検索を行う（ステップS6）。
【００５６】
図１のシステム構成例においてEAST回りでパス経路の検索を行うと、NMS100は、WXC装置5がWXC装置であり、同一WXCグループに他のエレメント装置であるWXC装置が存在しないことを把握できる。また、WXC装置6-1がWXC装置であり、同一WXCグループに他のエレメント装置であるWXC装置6-2が存在することを把握できる。また、WXC装置4が終了端点であることを把握できる。
【００５７】
NMS100は、新規にGUI上に、図８に示すようにEAST回りのパス経路を表示する（ステップS7）。
【００５８】
この場合、NMS100は、図８に示すように、第１経路として経路5,6を表示する。また、第２候補経路として経路7を表示する。なお、確定した経路（経路5,6）と、次の候補経路（経路7）と、は色分けし、オペレータが視覚的にGUI上で判別できるようにする。
【００５９】
なお、第１経路の経路5,6については、開始端点のWXC装置1に設定されているトランスポンダの種別が冗長トランスポンダであり、そのトランスポンダがEASTに登録されているため、自動的に決定することができる。
【００６０】
また、図１のシステム構成例の場合は、WXC装置5がWXC装置であり、同一WXCグループに他のエレメント装置であるWXC装置が存在しないため、NMS100は、WXC装置5を第２候補経路として認識せず、スルー装置として認識する。これにより、NMS100は、図８に示すように、経路5,6を第１経路として決定することができる。
【００６１】
また、第２候補経路の経路7については、WXC装置6-1と同一WXCグループに他のエレメントであるWXC装置6-2が存在するため、オペレータが次の候補経路をGUI上で選択する必要がある。
【００６２】
この場合、ステップS7においてGUI上に第２候補経路として表示した図８に示すシンボル経路7をGUI上でオペレータがクリックすることで、NMS100が図９に示すように経路7を第２経路として決定する（ステップS8）。
【００６３】
これにより、図９に示すように、終了端点まで経路が辿れることになるため、NMS100は、EAST回りのパス経路の設定を終了し、パス経路の設定を終了する。
【００６４】
＜本実施形態の通信システムの作用・効果＞
このように、本実施形態の通信システムは、両端点のトランスポンダ（WXC装置1,WXC装置4）が入力された場合に、該入力された両端点のトランスポンダ（WXC装置1,WXC装置4）の経路に、複数の分岐経路を有する分岐WXC装置（WXC装置2-1やWXC装置6-1）が存在するか否かを判定し、分岐WXC装置（WXC装置2-1やWXC装置6-1）が存在する場合は、両端点のトランスポンダ（WXC装置1,WXC装置4）のパス経路を分岐WXC装置（WXC装置2-1やWXC装置6-1）間毎にGUI上に可視化して表示し、両端点のトランスポンダ（WXC装置1,WXC装置4）のパス経路を分岐WXC装置（WXC装置2-1やWXC装置6-1）毎にGUI上でのシンボル選択により順次決定する。これにより、両端点のトランスポンダ（WXC装置1,WXC装置4）のパス経路をオペレータがGUI上で視覚的に把握して決定することができる。その結果、パス経路を決定する際の煩雑な操作を低減することができる。また、オペレータの操作時間も低減することができる。また、オペレータの誤操作を防止することができる。
【００６５】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００６６】
例えば、上述した本実施形態の通信システムを構成するNMS100、WXC装置1〜6における制御動作は、ハードウェア、または、ソフトウェア、あるいは、両者の複合構成を用いて実行することも可能である。
【００６７】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【００６８】
例えば、プログラムは、記録媒体としてのハードディスクやROM（Read Only Memory）に予め記録しておくことが可能である。あるいは、プログラムは、リムーバブル記録媒体に、一時的、あるいは、永続的に格納（記録）しておくことが可能である。このようなリムーバブル記録媒体は、いわゆるパッケージソフトウエアとして提供することが可能である。なお、リムーバブル記録媒体としては、フロッピー（登録商標）ディスク、CD-ROM（Compact Disc Read Only Memory）、MO（Magneto optical）ディスク、DVD（Digital Versatile Disc）、ブルーレイディスク、磁気ディスク、半導体メモリなどが挙げられる。
【００６９】
なお、プログラムは、上述したようなリムーバブル記録媒体からコンピュータにインストールすることになる。また、ダウンロードサイトから、コンピュータに無線転送することになる。また、ネットワークを介して、コンピュータに有線で転送することになる。
【００７０】
また、本実施形態における通信システムは、上記実施形態で説明した処理動作に従って時系列的に実行されるのみならず、処理を実行する装置の処理能力、あるいは、必要に応じて並列的にあるいは個別に実行するように構築することも可能である。
【００７１】
また、上記の実施形態の一部又は全部は、以下の付記のようにも記載されうるが、以下には限られない。
【００７２】
（付記１）
WXC（Wavelength Cross Connect）装置で構成するトランスポンダのパス経路を決定するパス経路決定装置であって、
両端点のトランスポンダが入力された場合に、該入力された両端点のトランスポンダの経路に、複数の分岐経路を有する分岐WXC装置が存在するか否かを判定し、前記分岐WXC装置が存在する場合は、前記両端点のトランスポンダのパス経路を前記分岐WXC装置間毎にGUI（Graphical User Interface）上に可視化して表示し、前記両端点のトランスポンダのパス経路を前記分岐WXC装置毎に順次決定する決定手段を有することを特徴とするパス経路決定装置。
【００７３】
（付記２）
前記決定手段は、
前記入力された両端点のトランスポンダが冗長トランスポンダの場合は、前記両端点のトランスポンダのパス経路を、WEST周り及びEAST周りの各々で決定し、
前記入力された両端点のトランスポンダが冗長トランスポンダでない場合は、前記両端点のトランスポンダのパス経路を、WEST周りまたはEAST周りの何れかで決定することを特徴とする付記１記載のパス経路決定装置。
【００７４】
（付記３）
前記決定手段は、
前記分岐WXC装置が存在する場合は、一方の端点から前記分岐WXC装置までの経路を確定経路として前記GUI上に表示し、前記分岐WXC装置以降の経路を候補経路として前記GUI上に表示することを特徴とする付記１または２記載のパス経路決定装置。
【００７５】
（付記４）
前記決定手段は、
前記GUI上に候補経路として表示した前記分岐WXC装置以降の経路の選択操作が前記GUI上から行われた場合に、前記分岐WXC装置以降の経路に、他の前記分岐WXC装置が存在するか否かを判定し、他の前記分岐WXC装置が存在する場合は、前記分岐WXC装置から他の前記分岐WXC装置までの経路を確定経路として前記GUI上に表示し、他の前記分岐WXC装置以降の経路を候補経路として前記GUI上に表示することを特徴とする付記３記載のパス経路決定装置。
【００７６】
（付記５）
前記決定手段は、
前記入力された両端点のトランスポンダの経路に、単一の経路を有するWXC装置が存在する場合は、前記分岐WXC装置として認識せず、スルー装置として認識し、
前記両端点のトランスポンダのパス経路を前記分岐WXC装置間毎に前記GUI上に可視化して表示し、前記両端点のトランスポンダのパス経路を前記分岐WXC装置毎に順次決定することを特徴とする付記１から４の何れか１項に記載のパス経路決定装置。
【００７７】
（付記６）
複数のWXC（Wavelength Cross Connect）装置と、前記WXC装置で構成するトランスポンダのパス経路を決定するパス経路決定装置と、を有して構成する通信システムであって、
前記パス経路決定装置は、
両端点のトランスポンダが入力された場合に、該入力された両端点のトランスポンダの経路に、複数の分岐経路を有する分岐WXC装置が存在するか否かを判定し、前記分岐WXC装置が存在する場合は、前記両端点のトランスポンダのパス経路を前記分岐WXC装置間毎にGUI（Graphical User Interface）上に可視化して表示し、前記両端点のトランスポンダのパス経路を前記分岐ＷＸＣ装置毎に順次決定する決定手段を有することを特徴とする通信システム。
【００７８】
（付記７）
WXC（Wavelength Cross Connect）装置で構成するトランスポンダのパス経路を決定するパス経路決定装置で行う制御方法であって、
両端点のトランスポンダが入力された場合に、該入力された両端点のトランスポンダの経路に、複数の分岐経路を有する分岐WXC装置が存在するか否かを判定し、前記分岐WXC装置が存在する場合は、前記両端点のトランスポンダのパス経路を前記分岐WXC装置間毎にGUI（Graphical User Interface）上に可視化して表示し、前記両端点のトランスポンダのパス経路を前記分岐WXC装置毎に順次決定する決定工程を有することを特徴とする制御方法。
【００７９】
（付記８）
WXC（Wavelength Cross Connect）装置で構成するトランスポンダのパス経路を決定するパス経路決定装置のコンピュータに実行させるプログラムであって、
両端点のトランスポンダが入力された場合に、該入力された両端点のトランスポンダの経路に、複数の分岐経路を有する分岐WXC装置が存在するか否かを判定し、前記分岐WXC装置が存在する場合は、前記両端点のトランスポンダのパス経路を前記分岐WXC装置間毎にGUI（Graphical User Interface）上に可視化して表示し、前記両端点のトランスポンダのパス経路を前記分岐WXC装置毎に順次決定する決定処理を、前記コンピュータに実行させることを特徴とするプログラム。
【符号の説明】
【００８０】
１００    NMS（パス経路決定装置）
１０１    DB
１０２    決定部
WXC装置1〜WXC装置６    WXC装置
WXCノード１〜WXCノード２    ノード
経路１、経路８    トランスポンダセクション
経路２〜経路７    装置間セクション
【図１】
2012156770.tif 000003
【図２】
2012156770.tif 000004
【図３】
2012156770.tif 000005
【図４】
2012156770.tif 000006
【図５】
2012156770.tif 000007
【図６】
2012156770.tif 000008
【図７】
2012156770.tif 000009
【図８】
2012156770.tif 000010
【図９】
2012156770.tif 000011